(57)【要約】      （修正有）【課題】防虫シートを収納する容器であり、合成樹脂により一体に形成することができて安価に且つ容易に製造することができ、しかも簡単な操作で防虫シートの装着，固定が可能であり、容易な取り外しも可能である防虫シート用容器を提案する。【解決手段】両側の支持板２間を複数の並列した帯板３で連結し、各帯板は上方及び下方に突出する如く予め膨出形成され、両側からの押圧で各帯板を湾曲させ、湾曲した上下の帯板間に防虫シート１０を挿入した後、支持板の押圧を解除して帯板間に防虫シートを挟持させる如く構成した。【選択図】図１
2008056292.tif 000002
【特許請求の範囲】
【請求項１】
両側の支持板２間を複数の並列した帯板３で連結し、各帯板３は上方及び下方に突出する如く予め膨出形成され、両側からの押圧で各帯板３を湾曲させ、湾曲した上下の帯板３間に防虫シート10を挿入した後、支持板２の押圧を解除して帯板３間に防虫シート10を挟持させる如く構成したことを特徴とする防虫シート用容器。
【請求項２】
前後端の帯板３をそれぞれ係止用の帯板3aとして形成してなる請求項１記載の防虫シート用容器。
【請求項３】
両側の各支持板２外側縁よりそれぞれ下方へ壁状の脚部４を垂設してなる請求項１又は請求項２のいずれかに記載の防虫シート用容器。
【請求項４】
両側の各支持板２外側縁より、上端が少なくとも帯板３上端レベルより上方に位置する壁部５をそれぞれ立設してなる請求項３記載の防虫シート用容器。
【請求項５】
前記各帯板３を上方及び下方に交互に突出する如く予め膨出形成してなる請求項１乃至請求項４のいずれかに記載の防虫シート用容器。
【発明の詳細な説明】
【技術分野】
【０００１】
本発明は防虫シート用容器に関する。
【背景技術】
【０００２】
防虫シートを収納する容器として、成形性に優れるとともに使用済み容器の廃棄処理に問題がない孔を有する容器が提案されている。（例えば、特許文献１参照）
【０００３】
上記容器は紙と熱可塑性樹脂からなる積層体を、熱可塑性樹脂が内面側となるように成形された孔を有する膨出部形態の成形部と平坦な縁部とを備えた成形紙容器二個を使用して、内部に常温揮散性の防虫剤等を含有する防虫シートとインジケータを収納した状態で、成形部がそれぞれ外側を向くように平坦な縁部同士を重ね合わせ、接着部にて２個の成形紙容器を接着して固定した構成である。或いは、一個の孔を有する成形紙容器の内部に常温揮散性の防虫剤等を含有する防虫シートとインジケータを収納し、その開口周縁部に板状の蓋材の周縁部を接着して封止した構成である。
【特許文献１】特開２００３−１２８１１９号公報
【発明の開示】
【発明が解決しようとする課題】
【０００４】
この様な容器は、防虫効果を低下させることがなく、且つ、常温揮散性の防虫剤成分を容器の孔を通して効果的に周囲に揮散させることができる優れたものであるが、複数の部材を接着一体化して形成するため、防虫シートの収納，包装工程が複雑化し、また、接着のための設備も必要である。更に、上記成形紙容器と蓋板との様に、複数部材が同一形状でない場合は複数形態の部材それぞれを形成しなければならないという不都合もある。また、複数部材は接着一体化されているため、容器は使い捨てとなり、防虫シートの交換は基本的に不可能である。
【０００５】
本発明は上記した点に鑑みてなされたもので、合成樹脂により一体に形成することができて安価に且つ容易に製造することができ、しかも、簡単な操作で防虫シートの装着，固定が可能であり、また、容易な取り外しも可能であるため防虫シートの交換も可能である防虫シート用容器を提案する。
【課題を解決するための手段】
【０００６】
本発明の防虫シート用容器は、シート状に形成された防虫剤である所謂防虫シートを収納するためのものであり、合成樹脂により一体に形成される。収納される防虫シートは、例えば基材シートに揮散性の防虫剤を含浸させた如き従来公知のものが使用でき、或いは、防虫剤領域と他の薬剤領域の二つの領域を持ち、両方の効果を発揮できる防虫シートを使用することも可能である。
【０００７】
防虫シート用容器は、両側の支持板間を複数並列した帯板で連結している。そして、両側からの押圧で各帯板を交互に反対側へ湾曲させ、湾曲した上下の帯板間に防虫シートを挿入した後、支持板の押圧を解除して帯板間に防虫シートを挟持させる如く構成している。支持板は各帯板を支持するためのものであり、防虫シート用容器の安定した載置を行うために脚部を垂設しても良い。脚部は少なくとも帯板の下方突出幅よりも突出幅が大きく、支持板及び帯板を安定して載置できる形態であれば種々採用でき、壁状であっても、複数の突起状であっても良い。また、各支持板上にそれぞれ壁部を立設しても良い。壁部を立設することにより衣類等の隙間からの浸入を極力防止し、また、帯板の上方突出幅よりも突出幅を大きく構成すれば、どちらを上方にしても同じ様に使用できる利点もある。
【０００８】
本発明の防虫シート用容器は、両側からの押圧で各帯板を上方及び下方に湾曲させることが可能に構成している。その為に各帯板が上方及び下方に突出する如く予め膨出形成している。この様な帯板は、両支持板間に一枚ずつ並列させても或いは同一位置から上方に突出するものと下方に突出するものとの一対の帯板を延設し、それら対の帯板を並列させても良い。前者の場合は上方及び下方に交互に突出する如く並設するのが好ましい。各支持板を両側から押圧して弾性変形させた際に防虫シートを挿入可能な各支持壁間の長さが必要であり、また、挿入した防虫シートを弾性復元後挟持できる形状，突出幅が必要である。具体的には正面視円弧状に膨出形成する。この場合には円弧の曲率を考慮して充分な弾性復元後の挟持性を選択する。また、中央部を円弧状或いは山型状に膨出し、両側端部を防虫シートの端部をそれぞれ挟持できるレベルに膨出した形態を採用できる。
【０００９】
また、装着した防虫シートの抜け出しを確実に防止するために、前後端の帯板をそれぞれ抜け出し防止用の帯板とすることも可能である。抜け出し防止用の帯板はその機能を発揮すればその形状は種々採用でき、水平板形態のものや波板形態ものそのたの形状を採用できる。この場合も、その中間部分に位置する帯板は上記した形態のものが使用できるが、抜け出し防止用の帯板が水平板形態のものの場合には、防虫シートの挿入時に抜け出し防止用の帯板と、上部帯板及び下部帯板との長さが相違するため、円弧の曲率等を考慮して防虫シートの挿入が可能で、挿入後挟持できる形態を採用する。
【００１０】
第１の手段として、以下の通り構成した。即ち、両側の支持板２間を複数の並列した帯板３で連結し、各帯板３は上方及び下方に突出する如く予め膨出形成され、両側からの押圧で各帯板３を湾曲させ、湾曲した上下の帯板３間に防虫シート10を挿入した後、支持板２の押圧を解除して帯板３間に防虫シート10を挟持させる如く構成した。
【００１１】
第２の手段として、以下の通り構成した。即ち、前記第１の手段に於いて、前後端の帯板３をそれぞれ係止用の帯板3aとして形成した。
【００１２】
第３の手段として、以下の通り構成した。即ち、前記第１の手段及び第２の手段のいずれかの手段に於いて、両側の各支持板２外側縁よりそれぞれ下方へ壁状の脚部４を垂設した。
【００１３】
第４の手段として、以下の通り構成した。即ち、前記第３の手段に於いて、両側の各支持板２外側縁より、上端が少なくとも帯板３上端レベルより上方に位置する壁部５をそれぞれ立設した。
【００１４】
第５の手段として、以下の通り構成した。即ち、前記第１の手段乃至第４の手段のいずれかの手段に於いて、前記各帯板３を上方及び下方に交互に突出する如く予め膨出形成した。
【発明の効果】
【００１５】
本発明の防虫シート用容器は、両側からの押圧のみで防虫シート10を挟持する様に帯板３を弾性変形させることができ、機械でのシート装着作業であっても複雑な機械を必要とせず、また、手での装着作業であっても簡単な操作で防虫シート10の取り付けが行えるため取り扱いが便利である。また、合成樹脂により一体に成型できるため、製造も容易でしかも安価に得られる利点もある。また、両側からの押圧で各帯板３の上方湾曲及び下方湾曲を交互に繰り返す如き弾性変形が、より確実に現出する。
【００１６】
前後端の帯板３をそれぞれ係止用の帯板3aとして形成した場合には、防虫シート10を挟持した際に、予め膨出形成された上部帯板3u及び下部帯板3d間の挟持に加え、各係止用の帯板3aが前後方向の抜け出しを防止することができる。また、上部帯板3u及び下部帯板3d間の挟持が甘くなっても、同様に抜け出しを防止することができるため、防虫シート10を確実に収納しておくことができる。
【００１７】
両側の各支持板２外側縁よりそれぞれ下方へ壁状の脚部４を垂設した場合には、全体を載置部位に安定的に載置することができ、また、両側からの各支持板２の押圧も行い易くなる。
【００１８】
第３の手段に於いて、両側の各支持板２外側縁より、上端が少なくとも帯板３上端レベルより上方に位置する壁部５をそれぞれ立設した場合には、壁部５により衣類等が各上部帯板3u間から浸入する等の不都合を極力防止できる。また、上下倒立状態で同じように容器を使用できる。
【００１９】
前記各帯板３を上方及び下方に交互に突出する如く予め膨出形成した場合には、たとえ挟持力が弱くても安定して防虫シート10を支持することができ、しかも揮散用の開口部分をより多く採ることができる。
【発明を実施するための最良の形態】
【００２０】
以下、本発明の実施例の形態を図面を参照して説明する。
【００２１】
図１及び図２は防虫シート用容器の一例を示し、図中１は防虫シート用容器を示す。該防虫シート用容器１は、全体が合成樹脂により一体に形成されたもので、両側の一対の支持板２間を複数の並列した帯板３で連結した構成となっている。各支持板２は前後方向に長い矩形状をなし、それぞれ外側縁より下方へ壁状の脚部４を垂設し、また、上方へ壁部５をそれぞれ立設している。各支持板２の前後端部分にはそれぞれ水平な抜け出し防止用の帯板3aを掛け渡している。各抜け出し防止用の帯板3a間には上方へ円弧板状に突出した上部帯板3u及び下方へ円弧状に突出した下部帯板3dを交互に複数掛け渡している。各脚部４は下部帯板3dの突出幅より大きい突出幅で下方に垂設し、各壁部５は上部帯板3uの突出幅より大きい突出幅で上方に立設している。
【００２２】
防虫シート用容器１に防虫シート10を装着する場合には、各支持板２を両側から押圧し、前後の抜け出し防止用の帯板3aを湾曲させるとともに、各上部帯板3u及び下部帯板3dも湾曲させる。そして、容器前方より防虫シート10を挿入した後、両側の押圧を解除すれば各抜け出し防止用の帯板3a及び上部帯板3u及び下部帯板3dが元の状態に弾性復元し、防虫シート10を挟持する。この場合は各上部帯板3u及び下部帯板3dは円弧状であるため、挟持部分は防虫シート10の両端部となる。また、抜け出し防止用の帯板3aは防虫シート10の前面及び後面の前後に位置するため、防虫シート10の前後方向の抜け出しを防止する役割を果たしている。尚、ここで使用している防虫シート10は、防虫剤領域10a と他の薬剤領域10b とで構成された複合剤タイプのものを使用している。
【００２３】
防虫シート用容器１は工場で機械的に防虫シート10を装着し、使用後はそのまま廃棄するタイプとして使用することもでき、また、一定期間使用後交換用の防虫シート10に取り替えて使用することも可能である。
【図面の簡単な説明】
【００２４】
【図１】本発明防虫シート用容器の斜視図である。（実施例１）
【図２】本発明防虫シート用容器の縦断面図である。（実施例１）
【符号の説明】
【００２５】
１…防虫シート用容器
２…支持板，
３…帯板，3a…抜け出し防止用の帯板，3u…上部帯板，3d…下部帯板
４…脚部，５…壁部
10…防虫シート，10a …防虫剤領域，10b …他の薬剤領域
【図１】
2008056292.tif 000003
【図２】
2008056292.tif 000004